(57)【要約】【課題】  メンテナンス時に記録ヘッドを移動させることなく、メンテナンス時のインクの飛び散りによる搬送手段の搬送面の汚損を防ぐことを課題とする。【解決手段】  記録ヘッド３８と搬送ベルト５８の間には隔壁８８が設けられており、この隔壁８８によってメンテナンス時のインク滴の飛び散りが防止される。メンテナンス時には、隔壁８８を記録ヘッド３８を取り囲む位置まで上昇させる。これにより、記録ヘッド３８と隔壁８８の上部との間の隙間をなくすことができ、記録ヘッド３８からキャップ部材６６を外すとき、また、記録ヘッド３８のインク滴を吐出する面をワイピング部材６８でワイピングするときに飛び散るインク滴を隔壁８８で受けるので、搬送ベルト５８にインク滴が付着することを防止できる。【選択図】    図５
2005199549.tif 000002
【特許請求の範囲】
【請求項１】
記録媒体幅の吐出領域を持ち、記録媒体に対してインク滴を吐出する記録ヘッドと、
前記記録ヘッドのインク滴吐出面と対向する位置に設置され、前記記録ヘッドのメンテナンスを行うキャップと、
前記記録ヘッドと前記キャップの間へ該キャップの移動を許容する空間を持つように配置され、前記記録媒体を前記記録ヘッドの吐出領域へ搬送する搬送手段と、
を有し、
メンテナンス時に、前記記録ヘッドと前記搬送手段の間に位置し、前記搬送手段へのインクの飛び散りを防止する隔壁を有することを特徴とするインクジェット記録装置。
【請求項２】
メンテナンス時とは、インク滴吐出面をワイピングする時、前記記録ヘッドから前記キャップを外した時、又はダミージェットの時であり、前記隔壁は前記記録ヘッドと前記キャップの間を移動可能であることを特徴とする請求項１に記載のインクジェット記録装置。
【請求項３】
前記隔壁は、前記キャップと前記記録ヘッドを囲う構造であることを特徴とする請求項１又は請求項２に記載のインクジェット記録装置。
【請求項４】
前記隔壁は、互いに対面し、前記キャップと前記記録ヘッドとに渡る大きさの二枚の板部で形成され、前記搬送手段と前記キャップ及び前記記録ヘッドの間に位置することを特徴とする請求項１又は請求項２に記載のインクジェット記録装置。
【請求項５】
前記隔壁は、前記キャップと前記記録ヘッドを囲む平面視にてコ字状の板部で形成され、前記記録ヘッドのインクの吐出面をワイピングする清掃部材が前記隔壁の開口部から進入することを特徴とする請求項１又は請求項２に記載のインクジェット記録装置。
【請求項６】
前記清掃部材のワイピングの方向は、前記隔壁の板部に向かうことを特徴とする請求項４又は請求項５に記載のインクジェット記録装置。
【請求項７】
前記隔壁に、帯電部材を設置したことを特徴とする請求項１〜請求項６のいずれか１項に記載のインクジェット記録装置。
【請求項８】
前記記録ヘッドと前記キャップの間には、前記記録ヘッドが移動する時に退避し、ダミージェット時に前記記録ヘッドから吐出されるインク滴を受けるダミージェット受け手段が配置されたことを特徴とする請求項１〜請求項７のいずれか１項に記載のインクジェット記録装置。
【請求項９】
前記ダミージェット受け手段は、インクジェット記録装置に掛け渡された支軸と、一端が前記支軸に支持されたダミージェット受け板と、で構成されており、前記ダミージェット受け板が前記支軸を中心として前記キャップ側に回動することを特徴とする請求項８に記載のインクジェット記録装置。
【請求項１０】
前記ダミージェット受け手段は、メンテナンス時に回動して、前記隔壁の一部を構成することを特徴とする請求項８又は請求項９に記載のインクジェット記録装置。
【請求項１１】
前記ダミージェット受け手段には、吸収部材が設けられたことを特徴とする請求項８〜請求項１０のいずれか１項に記載のインクジェット記録装置。
【請求項１２】
前記ダミージェット受け手段には、前記記録ヘッドから吐出されるインク滴の着弾状態を検出する検出装置が設けられたことを特徴とする請求項８〜請求項１０のいずれか１項に記載のインクジェット記録装置。
【請求項１３】
前記検出装置は、前記記録ヘッドのノズルと同数又はそれより多い数の電極と、該電極に通電し、前記記録ヘッドのノズルから吐出されたインク滴の着弾の有無を判定する判定手段と、から構成されたことを特徴とする請求項１２に記載のインクジェット記録装置。
【発明の詳細な説明】
【技術分野】
【０００１】
本発明は、記録ヘッドから記録媒体へインクを吐出して記録を行うインクジェット記録装置に関する。
【背景技術】
【０００２】
現在、主に普及しているインクジェット方式の出力機器に、記録用紙を搬送しながら記録ヘッドを往復運動させて１ラインずつ印字を行うシリアルスキャンと呼ばれる印字方式のものがある。
【０００３】
この方式は小型・低コストであるが、用紙全体にわたって画像を形成するために記録ヘッドのスキャンが複数回必要となり、印字速度が遅いという欠点がある。この問題を解決するために、紙幅の記録ヘッドで印字を行なう非走査の印字方式として、固定された記録ヘッドに対して記録用紙が移動することによって記録が行われるインクジェット記録装置が用いられている。
【０００４】
ところで、一般にインクジェット記録装置では、たとえば、いわゆるダミージェットを行ってノズルの詰まりを解消したり、ノズル周囲をキャッピングしてインク乾燥に伴う増粘を防止したりする等、ノズルに対する回復動作を行うヘッド回復装置（メンテナンス装置）がインクジェット記録装置内に設けられている。
【０００５】
例えば、特許文献１には、メンテナンス時は、記録ヘッド全体を印字面から水平に移動させ、この移動した記録ヘッドの位置までメンテナンス装置を移動させるインクジェット記録装置が記載されている。しかし、記録ヘッド全体を印字面に対して平行にスライドさせるため、記録ヘッドが退避するスペースがインクジェット記録装置内に必要となり、インクジェット記録装置が大型化してしまう。
【０００６】
また、記録ヘッドを印字面から水平に移動させる駆動装置と、メンテナンス装置を記録ヘッド側へ移動させる駆動装置の二つの駆動装置が必要となり、構造が複雑となることで、コストアップ及び故障の発生回数増加の要因となる。
【０００７】
これに対して、特許文献２には、搬送ベルトにメンテナンス装置が通過可能な大きさの開口部を形成すると共に、開口部を挟んでインクジェット記録ヘッドと対向するように搬送ベルト内にメンテナンス装置を配置したインクジェット記録装置が記載されている。メンテナンス装置は、インクジェット記録ヘッドの方向に移動して、インク吐出面を覆ってインクを吸引する。そして、クリーニング部材でインクジェット記録ヘッドのインク吐出面をクリーニングする。
【０００８】
また、特許文献３には、周面に用紙媒体を巻き付けて搬送する円筒状の搬送ドラムの周囲に沿って記録ヘッドを配置し、搬送ドラムの内部の記録ヘッドと対向する位置にメンテナンス装置を有するインクジェット記録装置が記載されている。
【０００９】
これらの構成では、記録ヘッド全体を固定して、メンテナンス装置を記録ヘッドに対して垂直に移動させるので、記録ヘッドの退避スペースを必要としないため、インクジェット記録装置が大型にならない。
【００１０】
しかし、記録ヘッドを固定してメンテナンス装置を移動させることでメンテナンスを行うので、搬送ベルト又は搬送ドラムの搬送面の上方でメンテナンスが行われることになる。これによって、メンテナンス時にノズルからキャップ部材を取り外したときに飛び散ったインクが、搬送ベルトに付着してしまい、記録用紙を汚損してしまう。また、記録ヘッドのノズル面をワイピングする際にも、インクが飛び散って搬送ベルトを汚損することがある。
【特許文献１】特開平２−１７９７５４号公報
【特許文献２】特許第２６９３２２４号
【特許文献３】特開平５−３３００３０号公報
【発明の開示】
【発明が解決しようとする課題】
【００１１】
本発明は上記事実を考慮し、メンテナンス時に記録ヘッドを移動させることなく、メンテナンス時のインク吸引の際のインクの飛び散りによる搬送手段の搬送面の汚損を防ぐことを目的とする。
【課題を解決するための手段】
【００１２】
請求項１に記載の本発明は、記録媒体幅の吐出領域を持ち、記録媒体に対してインク滴を吐出する記録ヘッドと、前記記録ヘッドのインク滴吐出面と対向する位置に設置され、前記記録ヘッドのメンテナンスを行うキャップと、前記記録ヘッドと前記キャップの間へ該キャップの移動を許容する空間を持つように配置され、前記記録媒体を前記記録ヘッドの吐出領域へ搬送する搬送手段と、を有し、メンテナンス時に、前記記録ヘッドと前記搬送手段の間に位置し、前記搬送手段へのインクの飛び散りを防止する隔壁を有することを特徴としている。
【００１３】
請求項１に記載の発明によれば、記録ヘッドとメンテナンス装置の間に配置された搬送手段によって、記録媒体は記録ヘッドの吐出領域に搬送されて、記録ヘッドから記録媒体にインク滴が吐出される。一方、記録ヘッドと搬送手段の間には隔壁が設けられており、この隔壁によってメンテナンス時のインク滴の飛び散りが防止される。
【００１４】
メンテナンス時に、例えば記録ヘッドからキャップを外したとき、記録ヘッドとキャップの間にインク滴の飛び散りが発生する。このとき、飛び散ったインク滴は、記録ヘッドと搬送手段の間に設けられた隔壁に付着するので、記録媒体が汚れることがない。
【００１５】
請求項２に記載の本発明は、メンテナンス時とは、インク滴吐出面をワイピングする時、前記記録ヘッドから前記キャップを外した時、又はダミージェットの時であり、前記隔壁は前記記録ヘッドと前記キャップの間を移動可能であることを特徴としている。
【００１６】
請求項２に記載の発明によれば、メンテナンス時に、隔壁を記録ヘッドとキャップの間を移動させることで、記録ヘッドと隔壁の上部との間に隙間をなくすことができ、飛び散ったインク滴で搬送手段が汚損されるのを防止することができる。
【００１７】
例えば、記録ヘッドからキャップを外すときには、隔壁を記録ヘッドとキャップの位置まで移動させる。これにより、記録ヘッドからキャップを外すとき飛び散るインク滴を隔壁で受けるので、搬送手段にインク滴が付着することを防止できる。また、記録ヘッドのインク滴を吐出する面を清掃部材等によって清掃するとき、隔壁を記録ヘッドのインク滴を吐出する面近傍に移動させる。さらに、ダミージェット時には、隔壁を記録ヘッドとキャップの間に移動させる。これにより、飛び散ったインク滴は隔壁に付着するので、搬送手段がインク滴によって汚損されることが防止できる。
【００１８】
請求項３に記載の本発明は、前記隔壁は、前記キャップと前記記録ヘッドを囲う構造であることを特徴としている。
【００１９】
請求項３に記載の発明によれば、隔壁はキャップと記録ヘッドを囲う構造とされており、メンテナンス時に飛び散るインク滴（インクミストも含めて）は、確実に隔壁に受けられる。これにより、メンテナンス時に発生するインク滴によって、搬送手段が汚損されるのを防止することができる。
【００２０】
請求項４に記載の本発明は、前記隔壁は、互いに対面し、前記キャップと前記記録ヘッドとに渡る大きさの二枚の板部で形成され、前記搬送手段と前記キャップ及び前記記録ヘッドの間に位置することを特徴としている。
【００２１】
請求項４に記載の発明によれば、隔壁は、キャップと記録ヘッドに渡る大きさの二枚の板部で形成されており、メンテナンス時に飛び散るインク滴を確実に受けることができる。これにより、搬送手段がインク滴で汚損されるのを防止することができる。また、隔壁を形成する板部が二枚で済むため、隔壁を構成する部材のコストダウンに繋がる。
【００２２】
請求項５に記載の本発明は、前記隔壁は、前記キャップと前記記録ヘッドを囲む平面視にてコ字状の板部で形成され、前記記録ヘッドのインクの吐出面をワイピングする清掃部材が前記隔壁の開口部から進入することを特徴としている。
【００２３】
請求項５に記載の発明によれば、隔壁をコ字状とすることで、隔壁には開口部が設けられた状態となり、この開口部から清掃部材を進入させることが容易となるので、清掃部材の移動幅を十分に確保することができる。
【００２４】
また、隔壁の開口部に清掃部材を配置することで、清掃部材を隔壁代わりにすることができる。これにより、清掃部材と隔壁が干渉する恐れがないので、清掃部材及び隔壁の位置出しが容易になる。
【００２５】
請求項６に記載の本発明は、前記清掃部材のワイピングの方向は、前記隔壁の板部に向かうことを特徴としている。
【００２６】
請求項６に記載の発明によれば、清掃部材を隔壁の板部に向かってワイピングさせることで、ワイピング時に飛び散るインク滴は板部に受けられる。これにより、ワイピング時に飛び散るインク滴が、搬送手段に付着するのを防止することができる。
【００２７】
請求項７に記載の本発明は、前記隔壁に、帯電部材を設置したことを特徴としている。
【００２８】
請求項７に記載の発明によれば、隔壁に帯電部材を設置することで、隔壁に電圧を印加して帯電させることができるので、メンテナンス時に飛び散ったインク滴が、隔壁に帯電した電荷に引き付けられて隔壁に付着する。また、ダミージェット時に記録ヘッドのノズルから吐出されたインク滴が、隔壁の間を通過する際、隔壁に帯電した静電気によって隔壁に付着するので、メンテナンス時やダミージェット時に飛び散ったインク滴が搬送手段に付着することが防止できる。
【００２９】
請求項８に記載の本発明は、前記記録ヘッドと前記キャップの間には、前記記録ヘッドが移動する時に退避し、ダミージェット時に前記記録ヘッドから吐出されるインク滴を受けるダミージェット受け手段が配置されたことを特徴としている。
【００３０】
請求項８に記載の発明によれば、記録ヘッドとキャップの間には、ダミージェット受け手段が配置されており、このダミージェット受け手段によって記録ヘッドから吐出されるダミージェットが受けられる。これにより、キャップを記録ヘッド近傍まで移動させなくても、ダミージェット時のインク滴をダミージェット受け手段で受けることができるので、ダミージェット後にすぐに印字を行う状態に入れる。従って、ダミージェット時にキャップを記録ヘッド近傍へ移動させ、印字時にはキャップを移動させる構造に比べて、タイムロスがないので、生産性が高くなる。
【００３１】
また、ダミージェット受け手段は、キャップが移動する時には退避するので、ダミージェット受け手段を記録ヘッドとキャップの間に配置しても、記録ヘッドをキャッピングする作業を妨げることがない。
【００３２】
請求項９に記載の本発明は、前記ダミージェット受け手段は、インクジェット記録装置に掛け渡された支軸と、一端が前記支軸に支持されたダミージェット受け板と、で構成されており、前記ダミージェット受け板が前記支軸を中心として前記キャップ側に回動することを特徴としている。
【００３３】
請求項９に記載の発明によれば、インクジェット記録装置には支軸が掛け渡されており、この支軸にはダミージェット受け板の端部が支持され、ダミージェット受け手段が形成されている。このダミージェット受け板は、メンテナンス時に、支軸を中心としてキャップ側に回動し、キャップが記録ヘッドに向かって移動する。このような構成によって、メンテナンス時にダミージェット受け手段が搬送面から退避するスペースを必要としないので、装置が大型にならない。
【００３４】
請求項１０に記載の本発明は、前記ダミージェット受け手段は、メンテナンス時に回動して、前記隔壁の一部を構成することを特徴としている。
【００３５】
請求項１０に記載の発明によれば、メンテナンス時にダミージェット受け板は支軸を中心としてキャップ側に回動する。このとき、ダミージェット受け板は隔壁の一部となり、メンテナンス時に飛び散ったインクは、このダミージェット受け板によっても受けられる。このように、ダミージェット受け板を隔壁の一部とすることで、隔壁の構成部材を少なくすることができる。
【００３６】
請求項１１に記載の本発明は、前記ダミージェット受け手段には、吸収部材が設けられたことを特徴としている。
【００３７】
請求項１１に記載の発明によれば、ダミージェット受け手段には吸収部材が設けられており、この吸収部材によって、ダミージェット受け手段に向けて記録ヘッドから噴出されたインク滴が吸収される。従って、ダミージェット時にダミージェット受け板に向けて噴出されたインク滴が、ダミージェット受け手段で跳ね返り、搬送ベルトに付着することが防止できる。
【００３８】
請求項１２に記載の本発明は、前記ダミージェット受け手段には、前記記録ヘッドから吐出されるインク滴の着弾状態を検出する検出装置が設けられたことを特徴としている。
【００３９】
請求項１２に記載の発明によれば、ダミージェット受け手段に設けられた検出装置によって、ダミージェットから吐出されるインク滴の吐出状態が調べられる。例えば、複数のノズルからインク滴が吐出される記録ヘッドにおいて、全てのノズルからインク滴が吐出されているかを、ダミージェット受け手段に設けられた電極にインク滴が着弾したときに通電するか否かで検出される。このように、インク滴が吐出されないノズルを検出するなど、記録ヘッドの吐出状態が常時管理されるので、記録媒体に画像乱れが生じることがない。
【００４０】
請求項１３に記載の本発明は、前記検出装置は、前記記録ヘッドのノズルと同数又はそれより多い数の電極と、該電極に通電し、前記記録ヘッドのノズルから吐出されたインク滴の着弾の有無を判定する判定手段と、から構成されたことを特徴としている。
【００４１】
請求項１３に記載の発明によれば、ダミージェット受け手段には記録ヘッドのノズルと同数の電極が設置されており、この電極に接続された判定手段によって電極が通電したか否かが判定される。そして、記録ヘッドの全てのノズルからのインク滴の着弾の有無が検出されるようになっている。
【００４２】
これにより、ダミージェット時に、記録ヘッドのノズルの状態が正常かを調べることができるので、記録媒体の画像の乱れを事前に防ぐことができる。
【発明の効果】
【００４３】
本発明は上記構成としたので、メンテナンス時に記録ヘッドを移動させることなく、メンテナンス時のインクの飛び散りによる搬送手段の搬送面の汚損を防ぐことができる。
【発明を実施するための最良の形態】
【００４４】
本発明の第１実施例に係るインクジェット記録装置１０について説明する。
（インクジェット記録装置の全体構成）
先ず、インクジェット記録装置１０の全体構成について簡単に説明する。
【００４５】
インクジェット記録装置１０は、図１に示すように、記録媒体としての用紙を送り出す用紙供給部１２と、用紙の姿勢を制御するレジ調整部１４と、インク滴を吐出して用紙に画像形成する記録ヘッド３８と、記録ヘッド３８のメンテナンスを行なうメンテナンス装置６４を備える記録部２０と、記録部２０で画像形成された用紙を排出する排出部２２とから基本的に構成される。
【００４６】
用紙供給部１２は、用紙が積層されてストックされているストッカ２４と、ストッカ２４から１枚ずつ枚葉してレジ調整部１４に搬送する搬送装置２６とから構成されている。
【００４７】
レジ調整部１４は、用紙がループ形成部２８と用紙の姿勢を制御するガイド部材３０が備えられており、この部分を通過することによって用紙のコシを利用してスキューが矯正されると共に搬送タイミングが制御されて記録部２０に進入する構成である。
【００４８】
記録部２０には、記録ヘッド３８、メンテナンス装置６４及び記録ヘッド３８とメンテナンス装置６４の間へ用紙を搬送する搬送ベルト５８が設けられており、搬送ベルト５８で連続的に（停止することなく）搬送される用紙に対して、記録ヘッド３８からインク滴が吐出され当該用紙に画像が形成される構成である。
【００４９】
また、排出部２２は、記録部２０で画像が形成された用紙を排紙ベルト３２を介してトレイ３４に排出するものである。
（記録ヘッドの構成）
次に、記録ヘッド３８について、図２を参照して詳細に説明する。
【００５０】
用紙搬送方向（矢印Ｘ方向、以下、搬送方向という場合がある）に対して直交する用紙幅方向（矢印Ｙ方向、以下、幅方向という場合がある）に対して単位記録ヘッド３６が複数配置された記録ヘッド３８が、用紙搬送方向に一定間隔で各色ごとに配設されている。
【００５１】
単位記録ヘッド３６は、図３（Ａ）に示すように、ノズル４０が２次元状に配設されており、ピエゾインクジェット方式によりインク滴が吐出されるものである。この単位記録ヘッド３６を用紙搬送方向に対して斜めに傾けて連続して配置することにより、用紙幅をカバーする印字領域を確保する。このように、単価の安い単位記録ヘッド３６をノズル配列方向に連続して配置することによって、低コストで記録ヘッド３６を構成することができる。
【００５２】
記録ヘッド３８の印字領域は、図４に示すように、印字される用紙Ｐのうち用紙最大幅ＰＷに対応して設定されている。ここで、印字領域とは、用紙の両端から印字しないマージンを引いた印字領域のうち最大のものが基本となるが、一般的には印字対象となる最大用紙幅ＰＷよりも大きくとっている。これは、用紙が搬送方向に対して所定角度傾斜して（スキューして）搬送されるおそれがあること、また縁無し印字の要請が高いためである。
【００５３】
記録ヘッド３８は、図２に示すように、搬送方向上流側からイエロー（Ｙ）、マゼンタ（Ｍ）、シアン（Ｃ）、ブラック（Ｋ）の順に印字されてフルカラー印字可能な構成となっている。なお、並べる色の順はこれに限らない。
（メンテナンス装置の構成）
図６に示すように、上流側の搬送ベルト５８と下流側の搬送ベルト５８の間の空間（記録ヘッド３８に対向した位置）には、メンテナンス装置６４が配置されている。メンテナンス装置６４は、キャップ部材６６とワイピング部材６８から構成されている。
【００５４】
キャップ部材６６は、図７に示すように、箱状の受け部７０と、受け部７０の開口周縁部に取り付けられたパッキン７１（例えば、シリコーンゴム）とから構成されている。
【００５５】
受け部７０の底面にはインク吸収体７２が設けられ、記録ヘッド３８（図６参照）から吐出されたインク滴を、インク吸収体７２で保持する構成となっている。インク吸収体７２の材料としては、ポリエステル系繊維材料等が用いられる。
【００５６】
また、キャップ部材６６の底面には図示しないチューブが接続されており、吸引装置で負圧を発生させ、押接時に記録ヘッド３８のノズル面のインクやゴミおよびノズルに溜まったインク滴を回収する構成となっている。
【００５７】
そして、ホームポジション（画像印字中で単位記録ヘッド３６に対するメンテナンスを行っていない状態における位置）において、図６及び図１３に示すように、キャップ部材６６は、記録ヘッド３８のノズル面の下方に位置するようになっている。
【００５８】
また、図５及び図６に示すように、キャップ部材６６の長手方向に沿って、記録ヘッド３８のノズル面をクリーニングするためのワイピング部材６８が設けられている。
【００５９】
図６に示すように、ワイピング部材６８とキャップ部材６６は、共通基盤７４の上に載置されている。共通基盤７４の搬送方向と直行する側面には、ラック８０が形成されており、ラック８０には駆動ギア８２が噛合している。駆動ギア８２は駆動モータ７８の駆動軸８１に取り付けられており、駆動ギア８２が回転すると駆動ギア８２に噛合されたラック８０を介して共通基盤７４が移動するようになっている。
【００６０】
また、共通基盤７４の下面には、用紙の搬送方向に沿ってガイド溝７５が形成されており、共通基盤７４が載置された支持板７７に形成されたレール７９にスライド可能に係合している。これにより、支持板７７に取り付けられた駆動ギア８２の回転によって、共通基盤７４は用紙の搬送方向にスライドするようになっている。
【００６１】
また、支持板７７の下面には、昇降装置４８の偏心カム５４が当接している。偏心カム５４は、駆動モータ５０の駆動軸５２に取り付けられており、偏心カム５４が回転して、支持板７７を上下方向に移動させるようになっている。
【００６２】
支持板７７の四隅には、図示しないガイドレールが設置されており、支持板７７の四隅をスライド可能に支持している。これにより、支持板７７は傾くことなく上下方向に移動する。また、支持板７７の上下方向の移動に伴って、支持板７７上に載置されたメンテナンス装置６４も、上下方向に移動可能となっている。
【００６３】
図５に示すように、記録ヘッド３８とメンテナンス装置６４の間には、隔壁８８が配設されている。隔壁８８は、メンテナンス装置６４及び記録ヘッド３８を囲む大きさの四枚の矩形状の板から構成されており、長方形状の筒状となっている。
【００６４】
また、図６に示すように、隔壁８８の側面には、移動方向に沿ってラック８３が設けられており、このラック８３には駆動モータ８５の駆動軸８４に取り付けられた駆動ギア８７が噛合している。また、隔壁８８の四隅には、図示しないガイド部材が設置されており、隔壁８８はこのガイド部材によって傾くことなく水平姿勢を保ってガイドされる。これにより、駆動ギア８７が回転すると、ラック８３を介して隔壁８８は上下方向に移動するようになっている。
【００６５】
ここで、図８のフローチャートに従って、メンテナンス時の隔壁８８の動きを説明する。
【００６６】
まず、ステップ２００において、メンテナンス装置６４を駆動させる命令を受けると、ステップ２０２へ進んで搬送ベルト５８上に用紙がないかどうかを検出する。用紙があると検出されれば、ステップ２０４へ進み用紙を排出する。用紙がないと検出されれば、ステップ２０６へ進む。
【００６７】
ステップ２０６では、図９に示すように、駆動ギア８７が時計回りに回転し、隔壁８８を搬送ベルト５８の用紙搬送面よりも上方に移動させ、記録ヘッド３８のノズル面を囲む。そして、ステップ２０８へ進み、キャッピング動作が行われる。ステップ２０８では、まず、図１０に示すように、偏心カム５４を回転させ、メンテナンス装置６４を上昇させる。そして、メンテナンス装置６４のキャップ部材６６のパッキン７１（図７参照）を、記録ヘッド３８のノズル面に押接させる。これによって、ノズル面の気密性が確保され、インクの増粘、乾燥が防止されると共に、ノズル面へのゴミの付着を防止する。
【００６８】
次に、ステップ２１０へ進み、図示しない吸引装置で、記録ヘッド３８のノズル面に押接させたキャップ部材６６で密閉された空間の空気を吸引し、記録ヘッド３８のノズル面のインクやゴミ、ノズルの溜まったインク滴を回収する。
【００６９】
そして、ステップ２１２へ進み、図１１に示すように、偏心カム５４を回転させてメンテナンス装置６４をワイピング部材６８の先端が当接する位置まで下降させる。このようにして、記録ヘッド３８のノズル面からキャップ部材６６を開放する動作が行われ、ステップ２１４へ進む。
【００７０】
ステップ２１４では、図１２に示すように、駆動ギア８２が時計回りに回転して、共通基盤７４を用紙搬送方向に移動させる。これによって、共通基盤７４上のワイピング部材６８の先端が、ノズル面に当接しながら搬送方向へ移動して、ノズル面に付着した埃や乾燥したインク等を除去する。
【００７１】
ワイピング部材６８がノズル面を通過すると、ワイピング動作を終了してステップ２１６へ進む。ステップ２１６では、偏心カム５４が回転してメンテナンス装置６４を下降させる。そして、駆動ギア８２が反時計回りに回動し、共通基盤７４を用紙搬送方向と反対方向へ移動させる。これによって、図１３に示すように、ワイピング部材６８及びキャップ部材６６は、ホームポジションに復帰する。
【００７２】
また、ステップ２１８で、駆動ギア８７が反時計回りに回転し、搬送ベルト５８の搬送面の下まで隔壁８８を下降させ、隔壁８８をホームポジションに復帰させる。そして、記録ヘッド３８は印字開始状態になる。
【００７３】
次に、ダミージェットの動作について説明する。
【００７４】
ダミージェットは、非印字時、あるいは複数の用紙を連続印字中に所定枚数の印字が終了する度に、後続の用紙先端が到達する前に行なう。すなわち、任意のノズル４０（図３参照）からキャップ部材６６に向かってインク滴の吐出（いわゆるダミージェット）が行なわれる。
【００７５】
ダミージェットが行われるとき、まず、図１４（Ａ）に示すように、駆動ギア８７を回転させ、隔壁８８の上面が搬送ベルト５８の搬送面よりも上になる位置まで上昇させる。次に、図１４（Ｂ）に示すように、昇降装置４８の偏心カム５４を回転させ、キャップ部材６６を記録ヘッド３８近傍まで上昇させる。そして、記録ヘッド３８のノズル４０からキャップ部材６６に向かってインク滴を吐出する。これにより、ダミージェット時に記録ヘッド３８から吐出されるインク滴は隔壁８８に付着するので、搬送ベルト５８にインク滴が付着するのを防止できる。
【００７６】
なお、ダミージェットを行なうのは、全単位記録ヘッド３６の全ノズル４０でも良いし、選択された単位記録ヘッド３６、あるいは、所定時間インク滴の吐出を行なっていないノズル４０のみでも良い。
【００７７】
例えば、単位記録ヘッド３６の全ノズル４０からインク滴の吐出（ダミージェット）を行なうことによって、インク（特に水性インク、溶剤インク）の乾燥による吐出性能の変化を初期化することができる。また、インクがほとんど乾燥しない油性インク、ソリッドインクであっても、印字によって記録ヘッド３８内部のインク流路等に付着した気泡の排除、あるいはノズル面に付着したゴミの除去を行なうことができ、ノズル４０のインク滴の吐出性能を初期化することができる。
【００７８】
また、図１４（Ｃ）に示すように、隔壁８８、キャップ部材６６を上昇させず、これらがホームポジションにある位置でダミージェットを行ってもよい。この場合でも、記録ヘッド３８から吐出されたインク滴がキャップ部材６６に受けられる間に飛び散るインク滴が、記録ヘッド３８とキャップ部材６６の間にある隔壁８８で受けられるので、搬送ベルト５８にインク滴が付着するのを防止することができる。さらに、隔壁８８が記録ヘッド３８のノズル面を囲うまで上昇してダミージェットを行う。
【００７９】
次に、本発明の第１の実施形態に係る作用について説明する。
【００８０】
記録ヘッド３８とメンテナンス装置６４の間に配置された搬送ベルト５８によって、用紙は記録ヘッド３８の吐出領域に搬送されて、記録ヘッド３８から用紙にインク滴が吐出される。一方、記録ヘッド３８と搬送ベルト５８の間には隔壁８８が設けられており、この隔壁８８によってメンテナンス時のインク滴の飛び散りが防止される。
【００８１】
図１０及び図１２に示すように、メンテナンス時には、隔壁８８を記録ヘッド３８を取り囲む位置まで上昇させる。これにより、記録ヘッド３８と隔壁８８の上部との間の隙間をなくすことができ、記録ヘッド３８からキャップ部材６６を外すとき、また、記録ヘッド３８のインク滴を吐出する面をワイピング部材６８でワイピングするときに飛び散るインク滴を隔壁８８で受けるので、搬送ベルト５８にインク滴が付着することを防止できる。また、ダミージェット時には、図１４に示すように、隔壁８８の上面が搬送ベルト５８の搬送面よりも上になる位置まで隔壁８８を上昇させる。これにより、飛び散ったインク滴は隔壁８８に付着するので、搬送ベルト５８がインク滴によって汚損されることが防止できる。
【００８２】
また、隔壁８８はキャップ部材６６と記録ヘッド３８を囲う構造とされており、メンテナンス時に飛び散るインク滴は、確実に隔壁８８によって受けられる。これにより、メンテナンス時に発生するインク滴によって、搬送ベルト５８が汚損されるのを防止することができる。
【００８３】
なお、本実施形態においては、駆動ギア８７を駆動させることで隔壁８８を移動させる構成としたが、ラックアンドピニオン、ホールねじ、ソレノイド、リニアアクチュエータ等で隔壁８８を移動させることもできる。隔壁８８を移動させる方法については、上記構成に限定されない。
【００８４】
また、本実施形態においては、隔壁８８を上昇させることで、メンテナンス時及びダミージェット時にインク滴が搬送ベルト５８に付着するのを防止する構成としたが、必ずしも、隔壁８８を上昇させる構成にする必要はない。図１３に示すように、記録ヘッド３８と搬送ベルト５８の間に隔壁８８を固定することで、メンテナンス時及びダミージェット時に隔壁８８を上昇させなくても、搬送ベルト５８にインク滴が飛び散るのを防ぐことができる。
【００８５】
次に、本発明の第２の実施形態に係るインクジェット記録装置について説明する。なお、第１の実施形態と同様の部分については、説明を割愛する。
【００８６】
図１５（Ａ）に示すように、隔壁８９は、長手方向の一辺を開口した平面視にてコ字状となっている。隔壁８９の開口側には、メンテナンス装置６４のワイピング部材６８が配置されている。これにより、ワイピング部材６８は、隔壁８９の開口側に対向した面に向かってワイピングを行う。
【００８７】
次に、本発明の第２の実施形態の作用について説明する。
【００８８】
図１５（Ａ）に示すように、隔壁８９をコ字状とすることで、隔壁８９には開口部が設けられた状態となり、この開口部からワイピング部材６８を進入させることが容易となり、また、ワイピング部材６８の移動幅を十分に確保することができる。
【００８９】
さらに、ワイピング部材６８を隔壁８９の開口側に対向した一辺に向かってワイピングさせることで、ワイピング時に飛び散るインク滴は、隔壁８９の開口部に対向した一辺に付着する。
【００９０】
また、隔壁８９の開口部にワイピング部材６８を配置することで、キャッピング動作時にワイピング部材６８が隔壁の役目を果たすことになる。このように、ワイピング部材６８を隔壁８９の一辺として用いることで、ワイピング部材６８と隔壁８９が干渉する恐れがないので、ワイピング部材６８及び隔壁８９の位置出しが容易になる。
【００９１】
なお、本実施形態では、隔壁８９を平面視にてコ字状としたが、図１５（Ｂ）に示すように、用紙の搬送方向と直交する方向に二枚の板材を用いて形成した隔壁９０を用いてもよい。このように、隔壁は、インクの飛び散りを防止できれば、特に上記構成に限定されない。
【００９２】
次に、本発明の第３の実施形態に係るインクジェット記録装置について説明する。なお、第１の実施形態と同様の部分については、説明を割愛する。
【００９３】
図１６に示すように、隔壁８８の長手方向端部には、隔壁８８に電圧を印加して帯電させる電圧印加装置９８が取り付けられている。
【００９４】
次に、本発明の第３の実施形態の作用について説明する。
【００９５】
図１６に示すように、隔壁８８に電圧印加装置９８を設置することで、隔壁８８は電圧が印加されて帯電し、メンテナンス時に飛び散ったインク滴が隔壁８８の電荷に引きつけられて、隔壁８８に付着する。また、ダミージェット時に飛び散るインク滴が隔壁８８の間を通過する時、隔壁８８に帯電した電荷によって隔壁８８に付着する。
【００９６】
従って、隔壁８８に電圧を印加することで、メンテナンス時やダミージェット時に、インク滴が搬送ベルトに付着することが防止できる。
【００９７】
次に、本発明の第４の実施形態に係るインクジェット記録装置について説明する。なお、第１の実施形態と同様の部分については、説明を割愛する。
【００９８】
図１７に示すように、隔壁９３の長手方向に沿って支軸９２が隔壁９３の角部に掛け渡されている。支軸９２には、記録ヘッド３８から吐出されるインク滴の吐出領域よりも大きい面積を有する板状のダミージェット受け板９４の端部が接続されており、支軸９２が接続された端部を軸として、回動するようになっている。また、支軸９２は、図示しないトーションばねで矢印Ｈ（図１８参照）と反対方向に付勢されている。
【００９９】
さらに、ダミージェット受け板９４の軸部には、図示しないストッパーが設けられており、トーションばねに押されて水平の姿勢でダミージェット受け板９４を保持する構成となっている。なお、ダミージェット受け板９４は、水平姿勢のとき、搬送ベルト５８の搬送面より下方にあり、用紙と触れないようになっている。
【０１００】
また、ダミージェット受け板９４の記録ヘッド３８側の面には、吸収部材９６が設けられている。吸収部材９６は、ポリエステル系繊維材料で形成されており、この吸収部材９６によってダミージェット受け板９４に向けて記録ヘッド３８から吐出されたインク滴が吸収される。従って、ダミージェット時にダミージェット受け板９４に向けて吐出されたインク滴が、ダミージェット受け板９４で跳ね返り、搬送ベルト５８に付着することが防止できる。
【０１０１】
なお、本実施形態においては、ダミージェット受け板９４に、インク滴を吸収させるための吸収部材９６を設ける構成としたが、ダミージェット受け板９４自体を、ポリエステル系繊維材料等の吸収体で形成しても、ダミージェット時に記録ヘッド３８から吐出されるインク滴をダミージェット受け板９４で吸収することができる。また、吸収部材９６は、ポリエステル系繊維材料だけでなく、インク滴を吸収する部材であれば、種々の部材で形成することができる。
【０１０２】
次に、本発明の第４の実施形態の作用について説明する。
【０１０３】
図１７に示すように、ダミージェット時に、記録ヘッド３８から吐出されるインク滴は、水平姿勢を維持したダミージェット受け板９４によって受けられる。これにより、キャップ部材６６を記録ヘッド３８側まで移動させなくても、ダミージェット時のインク滴をダミージェット受け板９４で受けることができるので、ダミージェットを行ってすぐに印字を行う状態に入ることができる。従って、ダミージェット時にキャップ部材６６を記録ヘッド３８側へ移動させ、印字時にはキャップ部材６６をホームポジションまで戻す構造に比べてタイムロスが少ないので、印字速度が速くなる。
【０１０４】
一方、メンテナンス時には、駆動ギア８７（図６参照）を回転させ、隔壁９３を上昇させる。このとき、図１８（Ｂ）に示すように、ダミージェット受け板９４は、記録ヘッド３８によってメンテナンス装置６４側へ押され、支軸９２を軸として矢印Ｈ方向に回動する。
【０１０５】
また、図１８（Ｃ）に示すように、偏心カム５４を回転させてメンテナンス装置６４を上昇させる。そして、記録ヘッド３８のノズル面は、キャップ部材６６のパッキン７１（図７参照）に押接され、メンテナンス動作が行われる。
【０１０６】
このようにして、メンテナンス時にダミージェット受け板９４をキャップ部材６６側へ回動させることで、メンテナンス時にダミージェット受け板９４を搬送面に対して水平方向へスライドさせるスペースを必要としないので、インクジェット記録装置が大型にならない。
【０１０７】
メンテナンス動作が終了すると、偏心カム５４を回動させてメンテナンス装置６４をホームポジションまで下降させると同時に、駆動ギア８７を反時計回りに回転させて隔壁９３をホームポジションまで下降させる。隔壁９３が下降すると、ダミージェット受け板９４は支軸９２に取り付けられたトーションばねの付勢力によって、図１８（Ａ）に示すように水平姿勢に戻るようになっている。
【０１０８】
なお、ワイピング時には、図示しない移動機構によって隔壁８８を用紙搬送方向と反対方向に移動させる。これにより、ワイピング部材６８のワイピング動作は、ダミージェット受け板９４によって妨げられることがない。
【０１０９】
また、本実施形態では、隔壁９３は記録ヘッド３８とキャップ部材６６を囲う形状となっているが、平面視にて略コ字状や、用紙搬送方向と直交する方向に二枚の板材を用いて形成した隔壁を用いてもよい。この場合、メンテナンス時にダミージェット受け板９４がキャップ部材６６側に回動して隔壁の一部を構成するので、ダミージェット受け板９４によってもメンテナンス時に飛び散ったインクが受けられる。
【０１１０】
次に、本発明の第５の実施形態に係るインクジェット記録装置について説明する。なお、第１の実施形態及び第２の実施形態と同様の部分については、説明を割愛する。
【０１１１】
図１９に示すように、ダミージェット受け板１４２には、電極１４４が設けられている。電極１４４は、記録ヘッド３８のノズル４０（図３参照）と同数設けられている。電極１４４には、図示しない判定装置が接続されており、判定装置は図示しない制御装置に接続されている。
【０１１２】
次に、本発明の第５の実施形態の作用について説明する。
【０１１３】
記録ヘッド３８のノズル４０からインク滴が吐出されたとき、インク滴はノズル４０と対向した位置にあるダミージェット受け板１４２に設けられた電極１４４に当接する。電極１４４はインク滴が付着すると、電極１４４に接続された判定装置によって電極１４４の通電が確認され、判定装置に接続された制御装置に信号が送られる。制御装置では、判定装置からすべての電極１４４で通電したとの信号を受けると、記録ヘッド３８のノズル４０のインク滴の吐出状態は正常と判断し、記録ヘッド３８へ印字開始の信号を送る。また、一部の電極１４４が通電していないという信号を判定装置から受け取ると、ノズルのインク滴の吐出状態は異常と判断して、記録ヘッド３８へ印字中止の信号を送り、インクジェット記録装置の表示部にエラーメッセージを表示させるようになっている。
【０１１４】
このように、インク滴が吐出されないノズル４０をダミージェット受け板９４に設けられた電極１４４によって検出することで、記録ヘッド３８のノズル４０のインク滴の吐出状態が常時管理されるので、用紙に画像乱れが生じることがない。
【０１１５】
なお、本実施形態では、用紙を搬送する搬送部が、上流側の搬送ベルトと下流側の搬送ベルトで構成されたインクジェット記録装置について説明したが、搬送部の構成は上記構成に限られない。
【０１１６】
例えば、図２０に示すような搬送部で構成されたインクジェット記録装置にも、本発明を適用することができる。
【０１１７】
ここで、この搬送部について簡単に説明する。
【０１１８】
用紙の搬送方向と直交する方向の上流側には、所定の間隔で単位記録ヘッド１６０が設けられている。下流側には、上流側の単位記録ヘッド１６０の非印字領域をカバーするようにして、単位記録ヘッド１６０が設けられている。上流側の単位記録ヘッド１６０及び下流側の単位記録ヘッド１６０で印字されない領域（非印字領域）には、搬送ベルト１６２が架け渡されている。非印字領域は印字領域と交互に配置されているので、搬送ベルト１６２も交互に配置され、いわゆる千鳥状となっている。
【０１１９】
このような構成の搬送部を有するインクジェット記録装置に本発明を適用する場合には、搬送される用紙Ｐを挟んで単位記録ヘッド１６０と対向する位置、すなわち、搬送ベルト１６２の間の印字領域に、単位記録ヘッド１６０と一対一で対応するようにしてメンテナンス装置１６４を配置する。メンテナンス装置１６４と記録ヘッド１６０の間には、メンテナンス装置１６４及び記録ヘッド１６０を囲む大きさの隔壁１６６が配設されている。なお、隔壁１６６は、第１の実施形態と同様に、上下方向に移動する構成となっており、図２１に示すように、メンテナンス時には、記録ヘッド１６０を取り囲む位置まで隔壁１６６が上昇する。
【０１２０】
このように、メンテナンス時には、隔壁１６６によって単位記録ヘッド１６０が取り囲まれる構造となっているので、メンテナンス時に飛び散るインク滴は、隔壁１６６に付着する。これにより、メンテナンス時に発生するインク滴によって、搬送ベルト１６２が汚損されるのを防止することができる。
【０１２１】
また、第１の実施形態と同様に、ダミージェット時には、隔壁１６６の上面が搬送ベルト１６２の搬送面よりも上にくる位置まで隔壁１６６が上昇する。これにより、ダミージェット時にインク滴が搬送ベルト１６２に付着するのを防止できる。
【０１２２】
さらに、本実施形態においても、図２２（Ａ）に示すように、二枚の板材を用いて形成した隔壁１６８や、図２２（Ｂ）に示すように、一辺を開口した平面視にてコ字状とした隔壁１７０を用いてもよい。この場合、ワイピング動作は、隔壁１６８、１７０の板部に向かって、矢印Ｊ及び矢印Ｋ方向に行う構成とすることで、ワイピング動作時に飛び散るインク滴は板材によって受けられ、搬送ベルト１６２が汚損されることがない。
【図面の簡単な説明】
【０１２３】
【図１】本発明の第１の実施形態に係るインクジェット記録装置を示す概略構成図である。
【図２】本発明の第１の実施形態に係るインクジェット記録装置の記録部の概略平面図である。
【図３】（Ａ）本発明の第１の実施形態に係る単位記録ヘッドのバリエーションの説明図であり、（Ｂ）記録ヘッドのバリエーションの説明図である。
【図４】本発明の第１の実施形態に係るインクジェット記録装置の印字領域の説明図である。
【図５】本発明の第１の実施形態に係るメンテナンス装置の隔壁の構成を示す斜視図である。
【図６】本発明の第１の実施形態に係るメンテナンス装置の移動機構及び隔壁の構成を示す斜視図である。
【図７】本発明の第１の実施形態に係るキャップ部材の斜視図である。
【図８】本発明の第１の実施形態に係るメンテナンス装置の駆動機構及び隔壁の移動状態を示すフローチャートである。
【図９】（Ａ）本発明の第１の実施形態に係るメンテナンス装置の駆動機構及び隔壁の動きを示す斜視図であり、（Ｂ）側面図である。
【図１０】（Ａ）本発明の第１の実施形態に係るメンテナンス装置の駆動機構及び隔壁の動きを示す斜視図であり、（Ｂ）側面図である。
【図１１】（Ａ）本発明の第１の実施形態に係るメンテナンス装置の駆動機構及び隔壁の動きを示す斜視図であり、（Ｂ）側面図である。
【図１２】（Ａ）本発明の第１の実施形態に係るメンテナンス装置の駆動機構及び隔壁の動きを示す斜視図であり、（Ｂ）側面図である。
【図１３】（Ａ）本発明の第１の実施形態に係るメンテナンス装置の駆動機構及び隔壁の動きを示す斜視図であり、（Ｂ）側面図である。
【図１４】（Ａ）〜（Ｃ）本発明の第１の実施形態に係るメンテナンス装置の駆動機構及び隔壁の動きを示す側面図である。
【図１５】（Ａ）本発明の第２の実施形態に係る隔壁の正面図であり、（Ｂ）他の実施形態の隔壁の正面図である。
【図１６】本発明の第３の実施形態に係る隔壁の構成を示す斜視図である。
【図１７】本発明の第４の実施形態に係る隔壁の構成を示す分解斜視図である。
【図１８】（Ａ）〜（Ｃ）本発明の第４の実施形態に係る隔壁の駆動状態を示す概略構成図である。
【図１９】本発明の第５の実施形態に係るダミージェット受け板を示す斜視図である。
【図２０】本発明のその他の実施形態に係るインクジェット記録装置を示す斜視図である。
【図２１】（Ａ）、（Ｂ）本発明のその他の実施形態に係るインクジェット記録装置を示す斜視図である。
【図２２】（Ａ）、（Ｂ）本発明のその他の実施形態に係るインクジェット記録装置を示す斜視図である。
【符号の説明】
【０１２４】
１０  インクジェット記録装置
３８  記録ヘッド
５８  搬送ベルト（搬送手段）
６２  無端ベルト
６４  メンテナンス装置
６６  キャップ部材（キャップ）
６８  ワイピング部材（清掃部材）
８８  隔壁
８９  隔壁
９０  隔壁
９２  支軸（ダミージェット受け手段）
９４  ダミージェット受け板（ダミージェット受け手段）
９６  吸収部材
９８  帯電部材
１４２  ダミージェット受け板（ダミージェット受け手段）
１４４  電極（検出装置）
１６０  単位記録ヘッド（記録ヘッド）
１６２  搬送ベルト（搬送手段）
１６４  メンテナンス装置
１６６  隔壁
【図１】
2005199549.tif 000003
【図２】
2005199549.tif 000004
【図３】
2005199549.tif 000005
【図４】
2005199549.tif 000006
【図５】
2005199549.tif 000007
【図６】
2005199549.tif 000008
【図７】
2005199549.tif 000009
【図８】
2005199549.tif 000010
【図９】
2005199549.tif 000011
【図１０】
2005199549.tif 000012
【図１１】
2005199549.tif 000013
【図１２】
2005199549.tif 000014
【図１３】
2005199549.tif 000015
【図１４】
2005199549.tif 000016
【図１５】
2005199549.tif 000017
【図１６】
2005199549.tif 000018
【図１７】
2005199549.tif 000019
【図１８】
2005199549.tif 000020
【図１９】
2005199549.tif 000021
【図２０】
2005199549.tif 000022
【図２１】
2005199549.tif 000023
【図２２】
2005199549.tif 000024